(57)【要約】  【課題】  電線群に外装するコルゲートチューブの径にかかわらず、該コルゲートチューブをプロテクタに挿通して位置決め固定する。  【解決手段】  プロテクタ本体１２に半円環部１３を形成していると共に、該半円環部１３の内周面にコルゲートチューブの谷部に嵌合するリブ１５を突設している一方、半円環部１３にロック結合する蓋を設け、該蓋はコルゲートチューブの径の大小に応じて大径蓋２０と小径蓋２１を設け、大径蓋２０はプロテクタ本体１２の半円環部１３と対称形状とする一方、小径蓋２１は小径のコルゲートチューブ３１の径に対応する半円環枠部２１ａの両側から鍔２１ｂを突出させ、半円環枠部２１ａの内面にコルゲートチューブ３１の谷部３１ａに嵌合するリブ２１ｅを突設すると共に、両側の鍔２１ｂの先端にロック部を設け、半円環枠部１３の被ロック部とロック可としている。  【選択図】  図４
2006074844.tif 000002
【特許請求の範囲】
【請求項１】
電線に外装するコルゲートチューブの取付部を備えたプロテクタであって、
プロテクタ本体にコルゲートチューブの一半周部を嵌合する半円環部を形成していると共に、該半円環部の内周面に前記コルゲートチューブの長さ方向に連続する山谷部の谷部に嵌合するリブを突設している一方、
前記半円環部にロック結合して前記コルゲートチューブの他半周部を嵌合する蓋を設け、該蓋は前記コルゲートチューブの径の大小に応じて大径蓋と小径蓋を設け、大径蓋は前記プロテクタ本体に形成する半円環部と対称形状として、互いに当接する径方向の両端にロック部と被ロック部とを設けている一方、前記小径蓋は小径コルゲートチューブの径に対応する半円環枠部の両側から鍔を突出させ、前記半円環枠部の内面にコルゲートチューブの谷部に嵌合するリブを突設すると共に、前記両側の鍔の先端にロック部を設け、前記半円環枠部の被ロック部とロック可としていることを特徴とするプロテクタ。
【請求項２】
前記プロテクタ本体の半円環部の内周面に設けるリブと、前記蓋の半円環部に設けるリブの高さは同一としている請求項１に記載のプロテクタ。
【請求項３】
前記小径蓋は、半円環枠部の両側先端から所要寸法隔てた外周中間位置から前記鍔を突出させている請求項１または請求項２に記載のプロテクタ。
【発明の詳細な説明】
【技術分野】
【０００１】
本発明は、プロテクタに関し、詳しくは、該プロテクタから引き出される電線にコルゲートチューブを外装している場合に、該コルゲートチューブの位置決め保持部を備えているプロテクタにおいて、該コルゲートチューブの径が相違しても取り付け可能とするものである。
【背景技術】
【０００２】
自動車に配索するワイヤハーネスには、経路規制や重要電線の保護機能強化のために、所要の配索領域では、樹脂成形品からなるプロテクタに電線群を貫通させている。該プロテクタはプロテクタ本体にワイヤハーネスの電線群を挿通させた後に、プロテクタ本体の上面開口を閉鎖する蓋を被せてロック結合している。
【０００３】
図６に示すように、プロテクタ１内に挿通する電線群に長さ方向に山部と谷部を交互に連続させて設けたコルゲートチューブを外装している場合、あるいはプロテクタから引き出される電線にコルゲートチューブを外装し、該コルゲートチューブの端部をプロテクタ内に位置決め保持する場合、コルゲートチューブに外嵌させる半円環部を備えたプロテクタ本体２と蓋３とを薄肉ヒンジ部４により連結して設けている。これらプロテクタ本体２と蓋３の内周面に周方向に延在するリブ２ａ、３ａを突設し、プロテクタ本体２のリブ２ａをコルゲートチューブの下半周部の谷部に嵌合した後、薄肉ヒンジ部４を支点として蓋３をプロテクタ本体２側に回動し、蓋３のリブ３ａをコルゲートチューブの上半周部の谷部に嵌合してコルゲートチューブをプロテクタ１に位置決め固定している。
【０００４】
しかしながら、前記のようなプロテクタ１であると、プロテクタ本体２と蓋３に設けたリブ２ａ、３ａを嵌合させて係止できるコルゲートチューブは所定の径のコルゲートチューブのみである。よって、異なる径のコルゲートチューブを位置決め固定できないため、コルゲートチューブの径に合わせてそれぞれプロテクタ１を製造しなければならない問題がある。
特に、前記のようにプロテクタ本体２と蓋３とが薄肉ヒンジ部４により連結された一体成形品のプロテクタ１であると、コルゲートチューブの径に対応させてプロテクタ１全体を製造しなければならずコスト高になる問題がある。
【０００５】
そこで、本出願人は、特開平８−１６８１３６号（特許文献１）において、図７に示すプロテクタ１’を提供している。該プロテクタ１’は、プロテクタ本体２’と蓋３’とを別体とし、該プロテクタ本体２’と蓋３’の内周面にコルゲートチューブ５’の谷部５ａ’に嵌合するリブ２ａ’、３ａ’を周方向に突設している。蓋３’のリブ３ａ’はプロテクタ１’内に挿通するコルゲートチューブ５’の径に対応させて高さを変えており、コルゲートチューブ５’の径が大きい場合には、リブ３ａ’の高さを小さくする一方、コルゲートチューブ５’の径が小さい場合には、リブ３ａ’の高さを大きくし、異なる径のコルゲートチューブ５’を位置決め可能としている。よって、コルゲートチューブ５’の径が異なってもプロテクタ本体２’は共用できるため、蓋３’のみをコルゲートチューブ５’の径に対応させて成形すればよくコストを低減することができる。
【０００６】
しかしながら、前記特許文献１において提供しているプロテクタ１’であると、該プロテクタ１’に挿通するコルゲートチューブ５’が小径である場合、蓋３’に突設するリブ３’ａが高くなって撓みやすくなるため、リブ３ａ’をコルゲートチューブ５’の谷部５ａ’に嵌合させにくくなる問題がある。
また、プロテクタ１’に挿通するコルゲートチューブ５’の径にかかわらず蓋３’の外径は同一であり、コルゲートチューブ５’の径が小さい場合にも必要以上にプロテクタ１’の外形が大きくなる問題がある。
【０００７】
さらに、本出願人は、特開平８−１８２１４６号（特許文献２）において、図８に示すプロテクタ１”を提供している。該プロテクタ１”は、プロテクタ本体２”と蓋３”とを別体として設け、プロテクタ本体２”には前記と同様のリブ２ａ”を設ける一方、蓋には該リブ２ａ”に対向する位置に貫通穴３ｂ”を設け、該貫通穴３ｂ”にリブ６ａ”を設けたリテーナ６”を係止して、該リブ６ａ”をコルゲートチューブ５”の谷部５ａ”に嵌合して位置決め固定している。前記リテーナ６”のリブ高さはプロテクタ１”内に挿通させるコルゲートチューブ５”の径に対応させており、複数種類のリテーナ６”を設け、コルゲートチューブ５”の径に対応したリテーナ６”を蓋３”の貫通穴３ｂ”に係止する構成としている。
【０００８】
しかしながら、特許文献２において提供しているプロテクタ１”であっても、前記特許文献１で提供しているプロテクタと同様、リブ６ａ”が撓んでコルゲートチューブ５”の谷部５ａ”に嵌合しにくくなったり、プロテクタ１”の外形が大きくなる問題があり、また、蓋３”に別部材のリテーナ６”を取り付けているため部品点数が増加する問題がある。
【特許文献１】特開平８−１６８１３６号公報
【特許文献２】特開平８−１８２１４６号公報
【発明の開示】
【発明が解決しようとする課題】
【０００９】
本発明は前記問題に鑑みてなされたものであり、電線群に外装するコルゲートチューブの径にかかわらず、該コルゲートチューブをプロテクタ内で位置決め固定できるようにし、コルゲートチューブの位置決め作業を容易にすると共に、プロテクタの外形を必要以上に大型化させないことを課題としている。
【課題を解決するための手段】
【００１０】
前記課題を解決するため、本発明は、電線に外装するコルゲートチューブの取付部を備えたプロテクタであって、
プロテクタ本体にコルゲートチューブの一半周部を嵌合する半円環部を形成していると共に、該半円環部の内周面に前記コルゲートチューブの長さ方向に連続する山谷部の谷部に嵌合するリブを突設している一方、
前記半円環部にロック結合して前記コルゲートチューブの他半周部を嵌合する蓋を設け、該蓋は前記コルゲートチューブの径の大小に応じて大径蓋と小径蓋を設け、大径蓋は前記プロテクタ本体に形成する半円環部と対称形状として、互いに当接する径方向の両端にロック部と被ロック部とを設けている一方、前記小径蓋は小径コルゲートチューブの径に対応する半円環枠部の両側から鍔を突出させ、前記半円環枠部の内面にコルゲートチューブの谷部に嵌合するリブを突設すると共に、前記両側の鍔の先端にロック部を設け、前記半円環枠部の被ロック部とロック可としていることを特徴とするプロテクタを提供している。
【００１１】
前記構成によれば、プロテクタ内に挿通するコルゲートチューブが大径の場合には、蓋をプロテクタ本体の半円環部と対称形状とし、該蓋に設けたリブでコルゲートチューブを係止する一方、コルゲートチューブが小径の場合には、蓋にコルゲートチューブの径に対応する半円環枠部を設け、該半円環枠部に設けたリブでコルゲートチューブを係止しているため、異なる径のコルゲートチューブをプロテクタに位置決め固定することができる。
また、プロテクタ本体と蓋とを別体としているため、プロテクタ本体は異なる径のコルゲートチューブに共用でき、蓋のみをコルゲートチューブの径に合わせて製造すればよいため、プロテクタの製造コストを低減することができる。
さらに、コルゲートチューブの径に対応させた半円環枠部を蓋に設けているため、コルゲートチューブが小径の場合には、これに対応させて蓋の半円環枠部も小径にできるため、コルゲートチューブが小径の場合にはプロテクタを小型化することができる。この場合、半円環枠部とコルゲートチューブとが近接配置されるため、コルゲートチューブの谷部に嵌合するリブの高さが高くなることもない。よって、リブの撓みを防止でき該リブをコルゲートチューブの谷部に容易に嵌合させることができる。
【００１２】
前記小径蓋は、小径コルゲートチューブの径が大径コルゲートチューブの径と比較して大きな差がある場合には、半円環枠部の両側先端から所要寸法隔てた外周中間位置から前記鍔を突出させている。即ち、鍔を半円環枠の両端からではなく、外周の中間位置から突出させ、プロテクタ本体とロック結合する鍔より内部側に半円環枠部の両側を突出させているため、小径コルゲートチューブの半円周部を小径蓋の半円環枠部で確実に外嵌することができ、プロテクタ本体の大径コルゲートチューブ用の半円環部を利用して確実に位置決め保持できる。
【００１３】
前記プロテクタ本体の半円環部の内周面に設けるリブと、前記蓋の半円環部に設けるリブの高さは同一としていることが好ましい。
前記のように、蓋のリブ高さを高くするとリブが撓みやすくなって、コルゲートチューブの谷部に嵌合しにくくなると共に、蓋の外形が大きくなる。一方、リブ高さを低くすると、コルゲートチューブの谷部に挿入したリブが山部に十分に係止されず十分な係止力を得られない。よって、前記構成としてプロテクタ本体の半円環部の内周面に設けるリブと蓋の半円環部に設けるリブの高さを同一としてコルゲートチューブの谷部の略全周にリブを嵌合させることにより、コルゲートチューブをプロテクタに安定した状態で位置決め固定することができる。
【発明の効果】
【００１４】
前述したように、本発明によれば、コルゲートチューブを挿通して位置決め固定するプロテクタにおいて、コルゲートチューブが大径の場合には、蓋をプロテクタ本体の半円環部と対称形状とし、該蓋に設けたリブでコルゲートチューブを係止する一方、コルゲートチューブが小径の場合には、蓋にコルゲートチューブの径に対応する半円環枠部を設け、該半円環枠部に設けたリブでコルゲートチューブを係止しているため、異なる径のコルゲートチューブをプロテクタに位置決め固定することができる。
また、プロテクタ本体と蓋とを別体としているため、プロテクタ本体は異なる径のコルゲートチューブに共用でき、蓋のみをコルゲートチューブの径に合わせて製造すればよいため、プロテクタの製造コストを低減することができる。
【００１５】
さらに、蓋に設ける半円環枠部はコルゲートチューブの径に対応させた形状としているため、コルゲートチューブが小径の場合には半円環枠部も小さくしてプロテクタを小型化することができる。
さらにまた、半円環枠部の内周面とコルゲートチューブの外周面とは近接され、半円環枠部のリブ高さが高くなることがないため、リブの撓みを防止でき該リブをコルゲートチューブの谷部に容易に嵌合させることができる。
【発明を実施するための最良の形態】
【００１６】
本発明の実施形態を図面を参照して説明する。
図１乃至図４は、本発明の実施形態を示し、樹脂製のプロテクタ１０は、電線に外装するコルゲートチューブの取付部１１を備えており、該取付部１１は、プロテクタ本体１２の先端に設けた半円環部１３と、該半円環部１３の上面開口に被せて閉鎖する大径コルゲートチューブ３０用の大径蓋２０、小径コルゲートチューブ３１用の小径蓋２１とを用意し、選択的に用いられるようにしている。
【００１７】
プロテクタ本体１２は、図１に示すように、底壁１４ａと該底壁１４ａの幅方向両側から突設した両側壁１４ｂとからなる樋形状の電線挿通部１４に連続させて半円環形状の前記半円環部１３を設けている。該半円環部１３の内径は、図２に示す大径のコルゲートチューブ３０の外径と略同等としており、半円環部１３にコルゲートチューブ３０の下半周部が嵌合される。半円環部１３の内周面には、プロテクタ本体１２の先端及び先端から長さ方向に間隔をあけた所要箇所に周方向に延在するリブ１５を突設している。該リブ１５は、大径コルゲートチューブ３０あるいは小径コルゲートチューブ３１の長さ方向に連続する山谷部の谷部３０ａ、３１ａに嵌合し、大小のコルゲートチューブ３０、３１を取付部１１に位置決め固定できる構成としている。
また、半円環部１３の径方向の両側先端の外面には、大径蓋２０、小径蓋２１のロック爪２０ｃ、２１ｄを係止するロック枠１６を所要箇所に設けている。
【００１８】
前記大径のコルゲートチューブ３０をプロテクタ１０に取り付ける場合に用いる大径蓋２０は、プロテクタ本体１２の半円環部１３と対称形状の半円環形状としており、内周面に周方向に延在するリブ２０ａを突設している。該リブ２０ａは、大径蓋２０を組み付けるプロテクタ本体１２の半円環部１３に設けたリブ１５と対向する位置に設けており、リブ高さは半円環部１３のリブ１５と同等としている。また、大径蓋２０の径方向の両側先端の外面には半円環部１３のロック枠１６に対向する位置に、先端にロック爪２０ｃを設けたロック片２０ｂを下向きに突設している。
【００１９】
一方、小径のコルゲートチューブ３１をプロテクタ１０に取り付ける場合に用いる小径蓋２１は、図３に示すように、小径のコルゲートチューブ３１の上半周部に嵌合する半円環枠部２１ａと、該半円環枠部２１ａの外周面の両側から突出させた鍔２１ｂとからなる。半円環枠部２１ａの内径は小径のコルゲートチューブ３１の外径と同等とし、該半円環枠部２１ａから突出する鍔２１ｂは、半円環枠部２１ａの径方向の両側先端から周方向に所要の間隔をあけた外周部の中間位置から側方に向けて突設している。鍔２１ｂの両側先端には、プロテクタ本体１２の半円環部１３に設けたロック枠１６と対向する位置に先端にロック爪２１ｄを設けたロック片２１ｃを下向きに突設している。
また、半円環枠部２１ａの内周面には周方向に延在するリブ２１ｅを突設している。該リブ２１ｅはプロテクタ本体１２の半円環部１３のリブ１５に対向する位置に設けており、リブ高さを半円環部１３のリブ１５と同等としている。
【００２０】
大径のコルゲートチューブ３０をプロテクタ１０内に取り付ける場合、先ず、コルゲートチューブ３０の下半周部の所要の谷部３０ａにプロテクタ本体１２の取付部１３に設けたリブ１５を嵌合して位置決めし、次いで取付部１３に大径蓋２０を被せて、大径蓋２０のロック爪２０ｃを取付部１３のロック枠１６に挿入係止し、プロテクタ本体１２と大径蓋２０をロック結合する。このとき、図４（Ａ）に示すように、大径蓋２０のリブ２０ａもコルゲートチューブ３０の上半周部の谷部３０ａに嵌合されてコルゲートチューブ３０がプロテクタ１０に位置決め固定される。
【００２１】
一方、小径のコルゲートチューブ３１をプロテクタ１０内に取り付ける場合、先ず、コルゲートチューブ３１の下側の所要の谷部３１ａにプロテクタ本体１２の取付部１３に設けたリブ１５を嵌合して位置決めし、次いで取付部１３に小径蓋２１を被せて、小径蓋２１のロック爪２１ｄを取付部１３のロック枠１６に挿入係止し、プロテクタ本体１２と小径蓋２１をロック結合する。このとき、図４（Ｂ）に示すように、小径蓋２１のリブ２１ｅもコルゲートチューブ３１の上半周部の谷部３１ａに嵌合されてコルゲートチューブ３１がプロテクタ１０に位置決め固定される。
【００２２】
前記構成によれば、大径のコルゲートチューブ３０をプロテクタ１０に取り付ける場合には、プロテクタ本体１２の半円環部１３と対称形状とした大径蓋２０を用いる一方、小径のコルゲートチューブ３１をプロテクタ１０に取り付ける場合には、コルゲートチューブ３１の径に対応する半円環枠部２１ａと、該半円環枠部２１ａから両側に突設した鍔２１ｂとからなる小径蓋２１を用いているため、径の異なる大径のコルゲートチューブ３０と小径のコルゲートチューブ３１の両方を選択的にプロテクタ１０に位置決め固定して取り付けることができる。
また、プロテクタ本体１２と蓋２０、２１とを別体としているため、プロテクタ本体１２は異なる径のコルゲートチューブ３０、３１に共用でき、蓋のみをコルゲートチューブの径に合わせて製造すればよいため、プロテクタ１０の製造コストを低減することができる。
【００２３】
さらに、小径蓋２１に設ける半円環枠部２１ａは小径のコルゲートチューブ３１の径に対応させて小さくしているが、該半円環部２１ａの両端からではなく、外周面の中間部から両側の鍔２１ｂを突設しているため、プロテクタ本体１２側の半円環部１３の下頂点と小径蓋２１の上頂点とを結ぶ直径を小径コルゲートチューブ３１の直径と対応させることができる。よって、小径コルゲートチューブ３１の径が大径コルゲートチューブ３０の径と大幅に相違して小径であっても、該小径コルゲートチューブ３１の少なくとも上半周部を小径蓋２１で外嵌し、該小径蓋２１の内周面から突設するリブ２１ｅにより小径コルゲートチューブ３１の谷部に確実に嵌合し、ガタつきなく位置決め保持することができる。
【００２４】
なお、小径蓋の形状は前記形状に限定されず、例えば、図５に示すように、半円環枠部２１ａの上端から側方に向けて鍔２１ｂを突設した形状としてもよい。
【図面の簡単な説明】
【００２５】
【図１】本発明の実施形態のプロテクタ本体と大径蓋とからなるプロテクタを示す斜視図である。
【図２】プロテクタ本体に大径のコルゲートチューブを取り付けた状態を示す図面である。
【図３】プロテクタ本体に小径のコルゲートチューブを取り付けた状態を示す図面である。
【図４】（Ａ）は大径のコルゲートチューブをプロテクタに取り付けた状態を示す断面図、（Ｂ）は小径のコルゲートチューブをプロテクタに取り付けた状態を示す断面図である。
【図５】本発明の実施形態の変形例を示す図面である。
【図６】従来例を示す図面である。
【図７】他の従来例を示す図面である。
【図８】他の従来例を示す図面である。
【符号の説明】
【００２６】
１０  プロテクタ
１１  コルゲートチューブの取付部
１２  プロテクタ本体
１３  半円環部
１５  リブ
１６  ロック枠
２０  大径蓋
２０ａ  リブ
２０ｃ  ロック爪
２１  小径蓋
２１ａ  半円環枠部
２１ｂ  鍔
２１ｄ  ロック爪
２１ｅ  リブ
３０  大径のコルゲートチューブ
３０ａ  谷部
３１  小径のコルゲートチューブ
３１ａ  谷部
【図１】
2006074844.tif 000003
【図２】
2006074844.tif 000004
【図３】
2006074844.tif 000005
【図４】
2006074844.tif 000006
【図５】
2006074844.tif 000007
【図６】
2006074844.tif 000008
【図７】
2006074844.tif 000009
【図８】
2006074844.tif 000010